(57)【要約】【解決手段】基板処理システムのガス送給システムは、ガス源からのガスの流れを制御するマスフローコントローラを含むガスボックスを含む。ガス流路は、ガスボックスと流体連通する。ハイブリッド流量計測システムは、ガス流路と流体連通し、第１の流量計測を実施するように構成されたコントローラを含む。第１の流量計測は、マスフローコントローラの少なくとも１つによって供給されるガスに対する所望の流量があらかじめ定められた流量未満である場合、あらかじめ定められた期間中にガスボックスと流量計測システムとの間のガス流路内のガスの質量差に基づいてマスフローコントローラの少なくとも１つを校正するものである。コントローラは、所望の流量があらかじめ定められた流量を超える場合、第２の流量計測を実施するように構成される。【選択図】図３
2021533567.tif 000002
【特許請求の範囲】
【請求項１】
基板処理システムのためのガス流量計測システムであって、
それぞれＮ個のガス源からガスを選択的に流すＮ個の一次弁であって、Ｎは、整数であるＮ個の一次弁と、
それぞれ前記Ｎ個の一次弁に接続され、それぞれ前記Ｎ個のガス源からＮ種のガスを流すＮ個のマスフローコントローラと、
それぞれ前記Ｎ個のマスフローコントローラからガスを選択的に流すＮ個の二次弁と、
前記Ｎ個の二次弁を、前記Ｎ個の二次弁から遠隔に設置される流量計測システムに接続するガス流路であって、前記ガス流路は、ガスラインを含むガス流路と、
前記Ｎ個のマスフローコントローラの１つから所望の流量で流される選択ガスに対して第１の流量計測を実施するように構成されたコントローラであって、前記第１の流量計測を
前記ガス流路を排気すること、
前記ガス流路内の初期圧力を測定すること、
前記ガス流路内の初期質量を決定すること、
あらかじめ定められた期間中に前記Ｎ個のマスフローコントローラの前記１つから前記所望の流量で前記選択ガスを流すこと、
前記ガス流路内の最終圧力を測定すること、
前記ガス流路内の最終質量を決定すること、ならびに
前記初期質量、前記最終質量、および前記あらかじめ定められた期間に基づいて実際の流量を決定すること
によって実施するように構成されるコントローラと
を備える、ガス流量計測システム。
【請求項２】
請求項１に記載のガス流量計測システムであって、
前記コントローラは、前記選択ガスおよび前記所望の流量に対する前記ガス流路の有効容積を決定するようにさらに構成される、ガス流量計測システム。
【請求項３】
請求項２に記載のガス流量計測システムであって、
前記コントローラは、さらに前記有効容積に基づいて前記実際の流量を決定するようにさらに構成される、ガス流量計測システム。
【請求項４】
請求項１に記載のガス流量計測システムであって、
前記ガス流路は、マニホールドと、弁とをさらに備える、ガス流計量システム。
【請求項５】
請求項１に記載のガス流量計測システムであって、
前記コントローラは、前記所望の流量があらかじめ定められた流量未満である場合、前記実際の流量を決定する際に前記第１の流量計測を使用するように構成される、ガス流量計測システム。
【請求項６】
請求項５に記載のガス流量計測システムであって、
前記あらかじめ定められた流量は、５ｓｃｃｍ〜１５ｓｃｃｍの範囲にある、ガス流量計測システム。
【請求項７】
請求項５に記載のガス流量計測システムであって、
前記コントローラは、前記所望の流量が前記あらかじめ定められた流量を超える場合、前記第１の流量計測とは異なる第２の流量計測を使用して前記実際の流量を決定するように構成される、ガス流量計測システム。
【請求項８】
請求項７に記載のガス流量計測システムであって、
前記あらかじめ定められた流量は、５ｓｃｃｍ〜１５ｓｃｃｍの範囲にある、ガス流量計測システム。
【請求項９】
請求項７に記載のガス流量計測システムであって、
前記第２の流量計測は、オリフィス式の計測を含む、ガス流量計測システム。
【請求項１０】
請求項５に記載のガス流量計測システムであって、
オリフィスと、
前記オリフィスの出口に接続された弁と、
前記オリフィスの入口における圧力を検知する圧力センサと
をさらに備え、
前記コントローラは、前記所望の流量が前記あらかじめ定められた流量を超える場合、前記弁、前記圧力センサ、および前記オリフィスを使用して前記実際の流量を決定するように構成される、
ガス流量計測システム。
【請求項１１】
請求項１に記載のガス流量計測システムであって、
前記コントローラは、前記ガス流路を排気した後、前記ガス流路内の前記初期圧力を測定する前に、第１のあらかじめ定められた静定期間待機するように構成される、ガス流量計測システム。
【請求項１２】
請求項１に記載のガス流量計測システムであって、
前記コントローラは、前記あらかじめ定められた期間中に前記Ｎ個のマスフローコントローラの前記１つから前記所望の流量で前記選択ガスを流した後、前記ガス流路内の前記最終圧力を測定する前に、第２のあらかじめ定められた静定期間待機するように構成される、ガス流量計測システム。
【請求項１３】
基板処理システムのガス流量計測システムであって、
Ｎ個のガス源からのガスの流れをそれぞれ制御するＮ個のマスフローコントローラを含むガスボックスであって、Ｎは、整数であるガスボックスと、
前記ガスボックスと流体連通するガス流路と、
前記ガス流路と流体連通し、第１の流量計測および第２の流量計測を実施するように構成されたコントローラを含むハイブリッド流量計測システムであって、
前記第１の流量計測は、前記Ｎ個のマスフローコントローラの少なくとも１つによって供給される前記ガスに対する所望の流量があらかじめ定められた流量未満である場合、あらかじめ定められた期間中に前記ガスボックスと流量計測システムとの間の前記ガス流路内のガスの質量差に基づいて前記Ｎ個のマスフローコントローラの前記少なくとも１つを校正するものであり、
前記第２の流量計測は、前記Ｎ個のマスフローコントローラの少なくとも１つに対する前記所望の流量が前記あらかじめ定められた流量を超える場合、前記Ｎ個のマスフローコントローラの前記少なくとも１つを校正するものである
ハイブリッド流量計測システムと
を備える、ガス流量計測システム。
【請求項１４】
請求項１３に記載のガス流量計測システムであって、
前記第１の流量計測および前記第２の流量計測は、前記所望の流量における前記ガスに対する前記ガス流路の有効容積を決定するために使用される、ガス流量計測システム。
【請求項１５】
請求項１４に記載のガス流量計測システムであって、
前記第１の流量計測は、前記所望の流量における前記ガスに対する前記ガス流路の前記有効容積に基づいて前記質量差をさらに決定する、ガス流量計測システム。
【請求項１６】
請求項１３に記載のガス流量計測システムであって、
前記第２の流量計測は、オリフィス式の方法である、ガス流量計測システム。
【請求項１７】
請求項１４に記載のガス流量計測システムであって、
前記ハイブリッド流量計測システムは、選択ガスおよび選択流量に対する前記ガス流路の有効容積を決定するように構成されたコントローラを含む、ガス流量計測システム。
【請求項１８】
請求項１７に記載のガス流量計測システムであって、
前記コントローラは、さらに前記有効容積に基づいて実際の流量を決定するようにさらに構成される、ガス流量計測システム。
【請求項１９】
請求項１３に記載のガス流量計測システムであって、
前記ガス流路は、マニホールドと、弁とをさらに備える、ガス流計量システム。
【請求項２０】
請求項１３に記載のガス流量計測システムであって、
前記あらかじめ定められた流量は、５ｓｃｃｍ〜１５ｓｃｃｍの範囲にある、ガス流量計測システム。
【請求項２１】
請求項１３に記載のガス流量計測システムであって、
オリフィスと、
前記オリフィスの出口に接続された弁と、
前記オリフィスの入口における圧力を検知する圧力センサと
をさらに備え、
前記コントローラは、前記所望の流量が前記あらかじめ定められた流量を超える場合、前記弁、前記圧力センサ、および前記オリフィスを使用して実際の流量を決定するように構成される、
ガス流量計測システム。
【請求項２２】
請求項１７に記載のガス流量計測システムであって、
前記コントローラは、
前記ガス流路を排気すること、
前記ガス流路内の初期圧力を測定すること、
前記ガス流路内の初期質量を決定すること、
あらかじめ定められた期間中に前記Ｎ個のマスフローコントローラの前記１つから前記所望の流量で前記選択ガスを流すこと、
前記ガス流路内の最終圧力を測定すること、
前記ガス流路内の最終質量を決定すること、ならびに
前記初期質量、前記最終質量、および前記あらかじめ定められた期間に基づいて実際の流量を決定すること
によって、前記第１の流量計測を実施するように構成される、
ガス流量計測システム。
【請求項２３】
請求項２２に記載のガス流量計測システムであって、
前記コントローラは、前記ガス流路を排気した後、前記ガス流路内の前記初期圧力を測定する前に、第１のあらかじめ定められた静定期間待機するように構成される、ガス流量計測システム。
【請求項２４】
請求項２２に記載のガス流量計測システムであって、
前記コントローラは、前記あらかじめ定められた期間中に前記Ｎ個のマスフローコントローラの前記１つから前記所望の流量で前記選択ガスを流した後、前記ガス流路内の前記最終圧力を測定する前に、第２のあらかじめ定められた静定期間待機するように構成される、ガス流量計測システム。
【請求項２５】
基板処理システム内でガス流量計測を実施する方法であって、
Ｎ個のガス源からのガスの流れをそれぞれ制御するＮ個のマスフローコントローラを含むガスボックスを設けることであって、Ｎは、整数であること、
前記ガスボックスと流体連通するガス流路を設けること、
前記Ｎ個のマスフローコントローラの少なくとも１つによって供給される前記ガスに対する所望の流量があらかじめ定められた流量未満である場合、第１の流量計測を使用して、あらかじめ定められた期間中に前記ガスボックスと流量計測システムとの間の前記ガス流路内のガスの質量差に基づいて前記Ｎ個のマスフローコントローラの前記少なくとも１つを校正すること、および
前記Ｎ個のマスフローコントローラの少なくとも１つに対する前記所望の流量が前記あらかじめ定められた流量を超える場合、第２の流量計測を使用して、前記Ｎ個のマスフローコントローラの前記少なくとも１つを校正すること
を含む、方法。
【請求項２６】
請求項２５に記載の方法であって、
前記第１の流量計測および前記第２の流量計測は、前記所望の流量における前記ガスに対する前記ガス流路の有効容積を決定するために使用される、方法。
【請求項２７】
請求項２６に記載の方法であって、
前記第１の流量計測は、前記所望の流量における前記ガスに対する前記ガス流路の前記有効容積に基づいて前記質量差をさらに決定する、方法。
【請求項２８】
請求項２５に記載の方法であって、
前記第２の流量計測は、オリフィス式の方法である、方法。
【請求項２９】
請求項２５に記載の方法であって、
前記あらかじめ定められた流量は、５ｓｃｃｍ〜１５ｓｃｃｍの範囲にある、方法。
【請求項３０】
請求項２５に記載の方法であって、
前記第１の流量計測は、
前記ガス流路を排気すること、
前記ガス流路内の初期圧力を測定すること、
前記ガス流路内の初期質量を決定すること、
あらかじめ定められた期間中に前記Ｎ個のマスフローコントローラの前記１つから前記所望の流量で選択ガスを流すこと、
前記ガス流路内の最終圧力を測定すること、
前記ガス流路内の最終質量を決定すること、ならびに
前記初期質量、前記最終質量、および前記あらかじめ定められた期間に基づいて実際の流量を決定すること
を含む、方法。
【請求項３１】
請求項３０に記載の方法であって、
前記ガス流路を排気した後、前記ガス流路内の前記初期圧力を測定する前に、第１のあらかじめ定められた静定期間待機することをさらに含む、方法。
【請求項３２】
請求項３１に記載の方法であって、
前記あらかじめ定められた期間中に前記Ｎ個のマスフローコントローラの前記１つから前記所望の流量で前記選択ガスを流した後、前記ガス流路内の前記最終圧力を測定する前に、第２のあらかじめ定められた静定期間待機することをさらに含む、方法。
【発明の詳細な説明】
【技術分野】
【０００１】
関連出願の相互参照
本出願は、２０１８年８月７日に出願された米国特許出願第１６／０５６，９８０号の優先権を主張する。上記で参照された出願の全体の開示は、参照により本明細書に組み込まれる。
【０００２】
本開示は、基板処理システムのための流量計測に関し、より具体的には、基板処理システムのためのハイブリッド流量計測に関する。
【背景技術】
【０００３】
ここで提供される背景の説明は、本開示の内容を概ね提示することを目的とする。この背景技術のセクションで説明されている範囲内における、現時点で名前を挙げられている発明者らによる研究、ならびに出願の時点で先行技術として他の点でみなされ得ない説明の態様は、明示または暗示を問わず、本開示に対抗する先行技術として認められない。
【０００４】
基板処理システムは、半導体ウエハなどの基板のエッチング、堆積、および／または他の処理を実施するために使用され得る。基板上で実施することができるプロセスの例には、限定はしないが、エッチング、堆積、および洗浄プロセスが挙げられる。処理中、基板は、基板処理システムの処理チャンバ内の台座、静電チャック（ＥＳＣ）などの基板支持体上に配置される。ガス送給システムが、基板を処理するためにガス混合物を処理チャンバに供給する。処理チャンバ内の化学反応を強化するために、プラズマが打たれる場合がある。また、イオンエネルギーを制御するために、ＲＦバイアスを基板支持体に供給することもできる。
【０００５】
品質を改善し、欠陥を低減するために、１つまたは複数の計測システムを使用して処理チャンバの動作を検証することができる。例えば、流量計測システムを使用して、ガス混合物を供給するガス送給システムの流量を検証することができる。複数の基板処理チャンバが基板処理ツール内に配置されている場合、ガスラインを使用して、各処理チャンバのガス送給システムを多重化流量計測システムに接続する。
【０００６】
流量計測システムは、オリフィス式の定常状態の流量測定装置を含み得る。ガス送給システムは、典型的には、１０〜３０００ｓｃｃｍの流量を校正および供給することが要求される。低流量でガスラインに流入するガスは、流量計測装置に到達して測定に十分な圧力を蓄積するのに長い時間がかかり、ツール起動時の測定時間に悪影響を及ぼす。言い換えれば、１０〜数百ｓｃｃｍの流量の校正には、長い時間がかかる。最近では、プロセスレシピも０．１〜１０ｓｃｃｍの流量の校正および供給を必要とする。理解され得るように、オリフィス式の方法を使用した０．１〜１０ｓｃｃｍという低流量の校正またはチャンバ整合中に、許容できない時間遅延が発生する可能性がある。
【発明の概要】
【０００７】
基板処理システムのための計測システムは、それぞれＮ個のガス源からガスを選択的に流すＮ個の一次弁を含み、Ｎは、整数である。Ｎ個のマスフローコントローラが、それぞれＮ個の一次弁に接続され、それぞれＮ個のガス源からＮ種のガスを流す。Ｎ個の二次弁が、それぞれＮ個のマスフローコントローラからガスを選択的に流す。ガス流路が、Ｎ個の二次弁をこれらＮ個の二次弁から遠隔に設置される流量計測システムに接続する。ガス流路は、ガスラインを含む。コントローラが、Ｎ個のマスフローコントローラの１つから所望の流量で流される選択ガスに対する第１の流量計測を実施するように構成され、第１の流量計測を、ガス流路を排気すること；ガス流路内の初期圧力を測定すること；ガス流路内の初期質量を決定すること；あらかじめ定められた期間中にＮ個のマスフローコントローラの１つから所望の流量で選択ガスを流すこと；ガス流路内の最終圧力を測定すること；ガス流路内の最終質量を決定すること；ならびに初期質量、最終質量、およびあらかじめ定められた期間に基づいて実際の流量を決定することによって実施するように構成される。
【０００８】
他の特徴において、コントローラは、選択ガスおよび所望の流量に対するガス流路の有効容積を決定するようにさらに構成される。コントローラは、さらに有効容積に基づいて流量を決定するようにさらに構成される。ガス流路は、マニホールドと、弁とをさらに備える。コントローラは、所望の流量があらかじめ定められた流量未満である場合、実際の流量を決定する際に、第１の流量計測を使用するように構成される。あらかじめ定められた流量は、５ｓｃｃｍ〜１５ｓｃｃｍの範囲にある。
【０００９】
他の特徴において、コントローラは、所望の流量があらかじめ定められた流量を超える場合、第１の流量計測とは異なる第２の流量計測を使用して実際の流量を決定するように構成される。あらかじめ定められた流量は、５ｓｃｃｍ〜１５ｓｃｃｍの範囲にある。
【００１０】
他の特徴において、第２の流量計測は、オリフィス式の計測を含む。弁が、オリフィスの出口に接続される。圧力センサが、オリフィスの入口における圧力を検知する。コントローラは、所望の流量があらかじめ定められた流量を超える場合、弁、圧力センサ、およびオリフィスを使用して実際の流量を決定するように構成される。
【００１１】
他の特徴において、コントローラは、ガス流路を排気した後、ガス流路内の初期圧力を測定する前に、第１のあらかじめ定められた静定期間待機するように構成される。コントローラは、あらかじめ定められた期間中にＮ個のマスフローコントローラの１つから所望の流量で選択ガスを流した後、ガス流路内の最終圧力を測定する前に、第２のあらかじめ定められた静定期間待機するように構成される。
【００１２】
基板処理システムのガス送給システムは、Ｎ個のガス源からのガスの流れをそれぞれ制御するＮ個のマスフローコントローラを含むガスボックスを含み、Ｎは、整数である。ガス流路は、ガスボックスと流体連通する。ハイブリッド流量計測システムは、ガス流路と流体連通し、第１の流量計測を実施するように構成されたコントローラを含む。第１の流量計測は、Ｎ個のマスフローコントローラの少なくとも１つによって供給されるガスに対する所望の流量があらかじめ定められた流量未満である場合、あらかじめ定められた期間Δｔ中にガスボックスと流量計測システムとの間のガス流路内のガスの質量差に基づいてＮ個のマスフローコントローラの少なくとも１つを校正するものである。コントローラは、Ｎ個のマスフローコントローラの少なくとも１つに対する所望の流量があらかじめ定められた流量を超える場合、Ｎ個のマスフローコントローラの少なくとも１つを校正する第２の流量計測を実施するように構成される。
【００１３】
他の特徴において、第１の流量計測および第２の流量計測は、所望の流量におけるガスに対するガス流路の有効容積を決定するために使用される。第１の流量計測は、所望の流量におけるガスに対するガス流路の有効容積に基づいて質量差をさらに決定する。第２の流量計測は、オリフィス式の方法である。
【００１４】
他の特徴において、ハイブリッド流量計測システムは、選択ガスおよび選択流量に対するガス流路の有効容積を決定するように構成されたコントローラを含む。コントローラは、さらに有効容積に基づいて流量を決定するようにさらに構成される。ガス流路は、マニホールドと、弁とをさらに備える。あらかじめ定められた流量は、５ｓｃｃｍ〜１５ｓｃｃｍの範囲にある。
【００１５】
他の特徴において、弁が、オリフィスの出口に接続される。圧力センサが、オリフィスの入口における圧力を検知する。コントローラは、所望の流量があらかじめ定められた流量を超える場合、弁、圧力センサ、およびオリフィスを使用して実際の流量を決定するように構成される。
【００１６】
他の特徴において、コントローラは、ガス流路を排気すること、ガス流路内の初期圧力を測定すること、ガス流路内の初期質量を決定すること、あらかじめ定められた期間中にＮ個のマスフローコントローラの１つから所望の流量で選択ガスを流すこと、ガス流路内の最終圧力を測定すること、ガス流路内の最終質量を決定すること、ならびに初期質量、最終質量、およびあらかじめ定められた期間に基づいて実際の流量を決定することによって、第１の流量計測を実施するように構成される。
【００１７】
他の特徴において、コントローラは、ガス流路を排気した後、ガス流路内の初期圧力を測定する前に、第１のあらかじめ定められた静定期間待機するように構成される。コントローラは、あらかじめ定められた期間中にＮ個のマスフローコントローラの１つから所望の流量で選択ガスを流した後、ガス流路内の最終圧力を測定する前に、第２のあらかじめ定められた静定期間待機するように構成される。
【００１８】
基板処理システム内でガス流量計測を実施する方法は、Ｎ個のガス源からのガスの流れをそれぞれ制御するＮ個のマスフローコントローラを含むガスボックスを設けることであって、Ｎは、整数であること、およびガスボックスと流体連通するガス流路を設けることを含む。この方法は、Ｎ個のマスフローコントローラの少なくとも１つによって供給されるガスに対する所望の流量があらかじめ定められた流量未満である場合、第１の流量計測を使用して、あらかじめ定められた期間中にガスボックスと流量計測システムとの間のガス流路内のガスの質量差に基づいてＮ個のマスフローコントローラの少なくとも１つを校正することを含む。この方法は、Ｎ個のマスフローコントローラの少なくとも１つに対する所望の流量があらかじめ定められた流量を超える場合、第２の流量計測を使用して、Ｎ個のマスフローコントローラの少なくとも１つを校正することを含む。
【００１９】
他の特徴において、第１の流量計測および第２の流量計測は、所望の流量におけるガスに対するガス流路の有効容積を決定するために使用される。
【００２０】
他の特徴において、第１の流量計測は、所望の流量におけるガスに対するガス流路の有効容積に基づいて質量差をさらに決定する。
【００２１】
他の特徴において、第２の流量計測は、オリフィス式の方法である。あらかじめ定められた流量は、５ｓｃｃｍ〜１５ｓｃｃｍの範囲にある。
【００２２】
他の特徴において、第１の流量計測は、ガス流路を排気すること、ガス流路内の初期圧力を測定すること、ガス流路内の初期質量を決定すること、あらかじめ定められた期間中にＮ個のマスフローコントローラの１つから所望の流量で選択ガスを流すこと、ガス流路内の最終圧力を測定すること、ガス流路内の最終質量を決定すること、ならびに初期質量、最終質量、およびあらかじめ定められた期間に基づいて実際の流量を決定することを含む。
【００２３】
他の特徴において、この方法は、ガス流路を排気した後、ガス流路内の初期圧力を測定する前に、第１のあらかじめ定められた静定期間待機することを含む。この方法は、あらかじめ定められた期間中にＮ個のマスフローコントローラの１つから所望の流量で選択ガスを流した後、ガス流路内の最終圧力を測定する前に、第２のあらかじめ定められた静定期間待機することを含む。
【００２４】
本開示を適用可能な他の分野は、詳細な説明、特許請求の範囲および図面から明らかになるであろう。詳細な説明および特定の例は、例示のみを目的としており、本開示の範囲を限定することを意図するものではない。
【図面の簡単な説明】
【００２５】
本開示は、詳細な説明および添付の図面からより完全に理解されるであろう。
【００２６】
【図１】図１は、基板処理システムの一例の機能ブロック図である。
【００２７】
【図２】図２は、基板処理ツールの一例の機能ブロック図である。
【００２８】
【図３】図３は、図１および図２のシステムで使用することができる本開示によるガス送給システムの機能ブロック図である。
【００２９】
【図４】図４は、本開示によるガスボックスの一例の機能ブロック図である。
【００３０】
【図５】図５は、本開示によるハイブリッド流量計測システムの一例の機能ブロック図である。
【００３１】
【図６】図６は、本開示によるハイブリッド流量計測コントローラの一例の機能ブロック図である。
【００３２】
【図７Ａ】図７Ａは、本開示によるハイブリッド流量計測を実施する方法の一例を示すフローチャートである。
【図７Ｂ】図７Ｂは、本開示によるハイブリッド流量計測を実施する方法の一例を示すフローチャートである。
【００３３】
【図８】図８は、本開示による質量差法の一例を示すフローチャートである。
【００３４】
【図９】図９は、本開示による質量差法における時間の関数としての圧力を示すグラフである。
【００３５】
【図１０】図１０は、本開示による追加の計測チェックとして、所与のガスに対する有効容積計算についての経時的変化を使用する方法の一例を示すフローチャートである。
【００３６】
これらの図面において、参照番号は、類似の要素および／または同一の要素を指すために再度利用されることがある。
【発明を実施するための形態】
【００３７】
絶対流量検証（ＡＦＶ）などのオリフィス式の流量計測システムでは、マスフローコントローラ（ＭＦＣ）からオリフィスバンクを通してガスをポンプに供給する。オリフィスバンクは、対応する弁を使用して選択することができる複数の精密オリフィスを含む。圧力は、選択された１つのオリフィスの上流に蓄積し、圧力計などの圧力センサによって監視される。圧力値は、ガスごとにオリフィス圧力をガス流量に関連付ける経験的に開発されたガステーブルに基づいて流量を決定するために使用される。温度変化を考慮し、ＭＦＣの実際のガス流量を決定するために、温度補正を適用することも可能である。
【００３８】
ＡＦＶのための測定時間は、ＭＦＣの下流および選択されたオリフィスの上流のガス流路を充填して加圧する時間が必要であるため、低流量時に大幅に長くなる。ガス流路は、典型的には、ガス供給ライン、マニホールド、弁など（ガスボックスと流量計測システムとの間に位置する）を含む。校正期間が長いと、初期設定中およびその後のチャンバ整合中にガス流量校正を実施するために必要なダウンタイムが長くなる。超低流量時、かつガス供給ラインが長くなるほど、オリフィスの流量がいつ安定したのか（そして定常状態の圧力が得られたのか）を検出することが困難である。ガスラインの容積が増加するため、圧力上昇における小さな変化を検出することが困難である。
【００３９】
本開示によるハイブリッド流量計測システムおよび方法は、あらかじめ定められた流量未満の流量に対して質量差測定（ＤＭＭ）法を使用し、あらかじめ定められた流量を超える流量に対して別の流量計測法を使用する。いくつかの例では、あらかじめ定められた流量は１０ｓｃｃｍであるが、他の流量値を使用することも可能である。いくつかの例では、あらかじめ定められた流量を超える流量に対してオリフィス式の流量計測が使用されるが、他の流量計測法を使用することも可能である。
【００４０】
以下でさらに説明するように、ＤＭＭ法は、ガスボックスと流量計測システムとの間のガスライン、弁、マニホールドなどにおけるガス容積を充填する。いくつかの例では、ガス容積が排気され、静定期間の後に初期圧力が測定される。初期質量は、ガスボックスと流量計測システムとの間に位置するガスライン、マニホールド、弁、および／または他の容積を通る流路の初期圧力および有効容積に基づいて決定される。
【００４１】
初期質量の決定後、弁が開かれ、ＭＦＣは、あらかじめ定められた期間Δｔの間、（校正されるべき）所望の流量でガスを流す。ガスボックスと流量計測システムとの間のガス容積内の圧力は、定常的に増加する。あらかじめ定められた期間Δｔの後、弁が閉じられ、最終圧力が測定される。最終質量は、最終圧力に基づいて計算される。流量は、最終質量と初期質量との間の差をΔｔで割ることによって計算される。
【００４２】
ＤＭＭ法はチャンバＲＯＲ（ｒａｔｅ  ｏｆ  ｒｉｓｅ：チャンバの圧力上昇率から流量を測定する方法）に似ているが、ＤＭＭ法は、質量流量の計算にチャンバ／タンクの容積ではなく、ガスライン、弁、マニホールドなどの容積を使用する。ＲＯＲでは、質量流量を算出するための支配方程式は、状態方程式の時間微分をとった後に得られる。ＲＯＲタンクでのガス圧縮中に過渡圧力および過渡温度が経時的にサンプリングされ、圧力／温度の変化率が算出される。
【００４３】
より具体的には、低流量に対してＤＭＭ法を実施するとき、ＭＦＣガス流を使用して、あらかじめ定められた期間Δｔ中に既知の容積Ｖのエンクロージャを加圧する。エンクロージャ内の初期および最終のガス圧力および温度は、以下のガスの状態方程式に基づいてエンクロージャに供給される正味ガス質量を算出するために使用される：
【数１】
2021533567.tif 000003
式中、Ｐは圧力、Ｖは容積、ｍは質量、ＭＷは分子量、Ｒはユニバーサルガス定数、Ｚは条件（ｐ、Ｔ）でのガス圧縮率である。
【００４４】
絶対ガス流量Ｑについての方程式は、次の通りである：
【数２】
2021533567.tif 000004
式中、下付き文字１および２は、それぞれ初期状態および最終状態を示す。
【００４５】
圧縮率の影響は、多原子ガスの場合に限り、圧力および温度が大気圧（ＡＴＭ）条件に近づくにつれて重要になる。ただし、多原子ガスの場合であっても、ＭＦＣの下流圧力は大気圧よりも低く、ＤＭＭ法でガス容積を加圧するときにＡＴＭ圧力よりも１桁低く維持することができるため、圧縮率の影響は無視することができる。したがって、流量方程式は、次のように単純化される：
【数３】
2021533567.tif 000005
【００４６】
いくつかの例では、ｐとＴの初期値および最終値を測定する前に、エンクロージャ内のガスをあらかじめ定められた静定期間、静止させる。この静定期間は、ガスの運動エネルギーの影響を小さくして、ガス流量による圧力勾配を排除する。また、この静定期間は、ガス温度を環境と共に安定させる。言い換えれば、ガスは周囲のエンクロージャ（壁温度Ｔｗ）によって加熱または冷却されて、それぞれガスの膨張または圧縮による影響を排除する。
【００４７】
ガス膨張現象は、計測校正の開始時に、（前回の測定からの）ガスの残留物を除去するためエンクロージャが排気されるときに発生する。ガスがエンクロージャ内に供給されると、ガスは圧縮加熱され、温度が上昇する。ガス経路内で高速温度センサを使用することは現実的ではないため（腐食性ガスへの曝露による潜在的なセンサ損傷のリスクがあるため）、直接ガス温度を正確に測定することは不可能である。
【００４８】
静定期間中にガスが安定化される場合、初期ガス温度および最終ガス温度は、それぞれ初期壁温度ＴW1および最終壁温度ＴW2と同じになる。同様に、初期圧力および最終圧力（ｐ１およびｐ２）は、ガス供給ラインの長さに沿った圧力勾配の排除およびガス温度の変化により、それぞれ
2021533567.tif 000006
および
2021533567.tif 000007
に調整される。その結果、流量方程式は、次のように単純化される：
【数４】
2021533567.tif 000008
【００４９】
上述のように、ＤＭＭ法でのエンクロージャ（ガスライン、弁、マニホールドなどの内部容積）は、ＲＯＲでのエンクロージャとは異なる挙動をする。ＲＯＲ法では、有効容積Ｖは、タンクの実際の容積と同じである。しかし、ＤＭＭ法でのエンクロージャ（ガスライン、弁、マニホールドなど）の実験テストでは、誤差が発生した。言い換えれば、（既知の流量を使用して計算される）有効容積Ｖeffは、予想される内部容積とは大幅に異なる。
【００５０】
容積の差の一部は、幾何学的な製造公差の変動に起因する。また、校正後の有効容積Ｖeffはガスおよび流量によって異なる場合があることが、実験により示されている。これらの差は、他の様々な要因に起因する可能性がある。例えば、これらの差は、ガス供給ラインの容積が比較的小さいことに起因する可能性がある（これは、ガスライン、内部弁、および／または基板の容積の製造公差の変動によって、さらに大きく影響される）。また、差は、ＲＯＲ法で使用されるタンクが単純で均一な幾何学的形状であることと比較して、供給容積アセンブリが全体的に複雑な幾何学的形状（内部弁を備えた長い管状の形状）であることに起因する可能性もある。
【００５１】
ＲＯＲ法は、ガス供給ラインを含むガス流路と比較して、容積がはるかに大きいタンクを使用する。ガス流の粘性効果によるガス供給ライン内の圧力勾配は相当な影響を及ぼすものであり、適切に考慮されていない場合、質量流量の計算が不正確になる。したがって、ＲＯＲ法は、エンクロージャとしてガスラインの容積を使用し、圧力測定点を一点とする場合には適用することができない。
【００５２】
しかし、この問題は、各ガスおよび／または流量に対して（理論上の実際の容積ではなく）校正後の有効容積Ｖeffを使用することによって経験的に解決することができる。以下でさらに説明するように、オリフィス技術または別の流量計測法を採用して、校正後の有効容積を算出することができる。
【００５３】
より具体的には、有効容積Ｖは、方程式４を使用して計算することができる。最初に、対応するＭＦＣを複数の低流量設定点の１つに設定し、ＤＭＭ法を実施する。ＤＭＭ法の実施中に、初期および最終の圧力および温度を測定する。ＭＦＣは、オリフィス法を使用して、同じ流量設定点で（同じガスを用いて）動作する。オリフィス法によって、ＭＦＣの絶対流量（真の流量）Ｑが得られる。有効容積Ｖは、方程式４、絶対流量Ｑ、ならびに初期および最終の圧力および温度を使用して決定される。
【００５４】
有効容積の計算は、ツールの初回起動時に１回だけ、低流量のガスに対してのみ要求される。この１回限りの校正では、チャンバ流量整合のためにツールごとのガス供給ラインの製造公差の変動も考慮される。したがって、チャンバ整合は、ハイブリッド法を使用するとより迅速に実施することができる。さらに、（低流量に使用される）ＤＭＭ法を（高流量に使用される）オリフィス技術法で校正することにより、２つの方法を切り替えるときに流量合流点での不一致または重複をなくすことができる。また、提案されたハイブリッド流量計測には、追加のシステムヘルスチェックとして流量合流点での計算を追跡および監視し、精度の経時的なドリフトをなくすことができるという別の利点もある。
【００５５】
ＡＦＶについては、本発明の譲受人に譲渡された２０１０年１０月２６日登録の米国特許第７，８２２，５７０号、発明の名称「Ｍｅｔｈｏｄｓ  ｆｏｒ  Ｐｅｒｆｏｒｍｉｎｇ  Ａｃｔｕａｌ  Ｆｌｏｗ  Ｖｅｒｉｆｉｃａｔｉｏｎ」にさらに詳細に説明されており、上記文献の全体が参照により本明細書に組み込まれる。ＲＯＲについては、本発明の譲受人に譲渡された米国特許第９，７７８，０８３号にさらに詳細に説明されている。
【００５６】
ここで、例示的な基板処理システム１２０を示す図１を参照する。図示されているのは容量結合プラズマ（ＣＣＰ）を使用したエッチング、化学気相堆積、または原子層堆積（ＡＬＤ）用の処理チャンバの一例であるが、本明細書に記載の流量計測システムおよび方法は、任意の他のタイプのシステムまたは基板処理システムで使用することができる。例えば、本明細書に記載の流量計測システムおよび方法は、リモートプラズマまたは誘導結合プラズマ（ＩＣＰ）を使用する基板処理システムで使用することができる。加えて、本明細書に記載のシステムおよび方法は、正確な流量計測を必要とする任意の他の半導体装置で使用することができる。
【００５７】
基板処理システム１２０は、基板処理システム１２０の他の構成要素を取り囲み、ＲＦプラズマ（使用される場合）を収容する処理チャンバ１２２を含む。基板処理システム１２０は、上部電極１２４と、静電チャック（ＥＳＣ）などの基板支持体１２６とを含む。動作中には、基板１２８が基板支持体１２６上に配置される。
【００５８】
単なる例として、上部電極１２４は、プロセスガスを導入し分配するシャワーヘッドなどのガス分配装置１２９を含み得る。ガス分配装置１２９は、一端が処理チャンバの上面に接続されたステム部分を含むことができる。ベース部分は略円筒形であり、処理チャンバの上面から離間した場所で、ステム部分の他端から半径方向外側に延設されている。シャワーヘッドのベース部分の基板対向面またはフェースプレートは、前駆体、反応物、エッチングガス、不活性ガス、キャリアガス、他のプロセスガスまたはパージガスが流れる複数の穴を含む。あるいは、上部電極１２４は導電性プレートを含んでもよく、プロセスガスを別の方式で導入してもよい。
【００５９】
基板支持体１２６は、下部電極として作用するベースプレート１３０を含む。ベースプレート１３０は加熱プレート１３２を支持しており、この加熱プレート１３２はセラミックマルチゾーン加熱プレートに対応する場合がある。加熱プレート１３２とベースプレート１３０との間には、熱抵抗層１３４を配置することができる。ベースプレート１３０には、ベースプレート１３０を通して冷却剤を流すための１つまたは複数のチャネル１３６を含めることができる。
【００６０】
プラズマが使用される場合、ＲＦ生成システム１４０が、ＲＦ電圧を生成し、上部電極１２４および下部電極（例えば、ＥＳＣ１２６のベースプレート１３０）のいずれか一方に出力する。上部電極１２４およびベースプレート１３０のもう一方は、ＤＣ接地、ＡＣ接地、またはフローティングさせてもよい。単なる例として、ＲＦ生成システム１４０は、整合および分配ネットワーク１４４によって上部電極１２４またはベースプレート１３０に供給されるＲＦ電力を生成するＲＦ発生器１４２を含むことができる。他の例では、プラズマは、誘導的または遠隔的に生成されてもよい。
【００６１】
典型的なガス送給システム１５０は、１つまたは複数のガス源１５２−１、１５２−２、…、および１５２−Ｎ（総称してガス源１５２）を含み、Ｎはゼロよりも大きい整数である。ガス源１５２は、弁１５４−１、１５４−２、…、および１５４−Ｎ（総称して弁１５４）ならびにＭＦＣ１５６−１、１５６−２、…、および１５６−Ｎ（総称してＭＦＣ１５６）によってマニホールド１６０に接続される。ＭＦＣ１５６とマニホールド１６０との間に二次弁を用いてもよい。図には１つのガス送給システム１５０が示されているが、２つ以上のガス送給システムを使用してもよい。
【００６２】
温度コントローラ１６３を、加熱プレート１３２内に配置された複数の熱制御素子（ＴＣＥ）１６４に接続してもよい。温度コントローラ１６３を使用して複数のＴＣＥ１６４を制御し、基板支持体１２６および基板１２８の温度を制御することができる。温度コントローラ１６３は、冷却剤アセンブリ１６６と連通し、チャネル１３６を通る冷却剤の流れを制御することができる。例えば、冷却剤アセンブリ１６６は、冷却剤ポンプ、リザーバ、および／または１つもしくは複数の温度センサを含むことができる。温度コントローラ１６３は、冷却剤アセンブリ１６６を動作させ、チャネル１３６を通して冷却剤を選択的に流して基板支持体１２６を冷却する。弁１７０およびポンプ１７２を使用して、処理チャンバ１２２から反応物を排出することができる。システムコントローラ１８０を使用して、基板処理システム１２０の構成要素を制御してもよい。
【００６３】
ここで図２を参照すると、本明細書に記載の流量計測システムおよび方法は、１つまたは複数の基板処理ツール２１０に供給されるガスの流量計測を提供してコストを削減するために使用することができる。図示されているのは基板処理ツール２１０の一例であるが、他の基板処理ツールが使用されてもよい。
【００６４】
基板処理ツール２１０は、中央位置に配置されたロボット２１２を含む。ロボット２１２は、真空または大気圧で動作することができる。基板処理ツール２１０は、ロボット２１２の周りに配置された複数のステーション（または基板処理チャンバ）２１６−１、２１６−２、…、および２１６−Ｓ（総称してステーション２１６）（Ｓは１よりも大きい整数）を含む。ステーション２１６は、均一または不規則な角度オフセットで基板処理ツール２１０の中心の周りに配置することができる。ステーション２１６の例としては、堆積、エッチング、前洗浄、後洗浄、スピン洗浄などの１つまたは複数を挙げることができる。
【００６５】
基板は、最初はカセット２３４内に置くことができる。全体を２３８で示すロボットおよびロードロックを使用して、基板をカセット２３４から基板処理ツール２１０に移動させることができる。処理が完了すると、ロボットおよびロードロック２３８は、基板をカセット２３４および／または別のカセット２３９に戻すことができる。以下でさらに説明するように、ガス送給システムはガスをステーションに供給し、流量計測システムはガス流量を校正する。
【００６６】
ここで図３を参照すると、図示されるガス送給システム３００は、複数のガスボックス３１０−１、３１０−２、…３１０−１０（総称してガスボックス３１０）を含んでいる。図には１０個のガスボックスが示されているが、ガス送給システム３００に含まれるガスボックスの数はこれより多くても少なくてもよい。ガスボックス３１０−１、３１０−２、…３１０−１０は、第１のガスライン３１２−１、３１２−２、…３１２−１０（総称して第１のガスライン３１２）によってハイブリッド流量計測システム３２０に接続される。第１のガスライン３１２は、マニホールド３１３を経由してからハイブリッド流量計測システム３２０に接続されてもよい。ハイブリッド流量計測システム３２０からの戻りガスは、第２のガスライン３１４−１、３１４−２、…３１４−１０（総称して第２のガスライン３１４）によってガスボックス３１０−１、３１０−２、…３１０−１０に接続される。第２のガスライン３１４は、ハイブリッド流量計測システム３２０からマニホールド３１５に流出し、ガスボックス３１０−１、３１０−２、…３１０−１０に接続された個々のラインに分離される。
【００６７】
ガスライン３１６−１、３１６−２、…３１６−１０（総称してガスライン３１６）は、ガスボックス３１０−１、３１０−２、…３１０−１０の出力を処理チャンバに接続する。いくつかの例では、清浄乾燥空気（ＣＤＡ）供給源３３０もガスボックス３１０−１、３１０−２、…３１０−１０に接続される。理解され得るように、ハイブリッド流量計測システム３２０は、ガスボックス３１０−１、３１０−２、…３１０−１０によって共有または時分割多重化され、これによりコストが削減される。
【００６８】
ここで、ガスボックス３１０の１つを示す図４を参照する。ガス源４１０−１、４１０−２、…、および４１０−Ｇ（総称してガス源４１０）が、一次弁４２０−１、４２０−２、…、および４２０−Ｇ（Ｇは１よりも大きい整数）（総称して一次弁４２０）、マスフローコントローラ（ＭＦＣ）４３０−１、４３０−２、…、４３０−Ｇ（総称してＭＦＣ４３０）、および二次弁４３４−１、４３４−２、…、および４３４−Ｇ（総称して二次弁４３４）を含む流量制御装置に接続される。二次弁４３４の出力は、混合マニホールド４３５に接続され、弁４４０、４４２、および４４８に入力される。弁４４０、４４２は、ハイブリッド流量計測システム３２０に接続される。弁４４２は、ガスライン３１２を通ってハイブリッド流量計測システム３２０に流れるガスに関連付けられている。弁４４０は、ガスライン３１４を通ってハイブリッド流量計測システム３２０から戻るガスに関連付けられている。弁４４８は、ガスライン３１６を通ってガスボックス３１０に関連する処理チャンバに流れるガスに関連付けられている。１つまたは複数の温度センサ４８０を使用して、ガスラインの温度を検知することができる。いくつかの例では、ガスラインの一部が抵抗ヒータ（図示せず）によって加熱される。
【００６９】
ここで、ハイブリッド流量計測システムの一部を示す図５を参照する。ハイブリッド流量計測システム２２０への入口Ｂは、弁５１０に接続される。ガスボックスＧＢ２、ＧＢ４、ＧＢ６、ＧＢ８、およびＧＢ１０に関連する入口Ｂ’は、弁５１１に接続される。弁５１０および５１１の出口は、マニホールド５１３によって複数のガスライン５１８−１、５１８−２、…、および５１８−Ｏ（Ｏは１以上の整数）（総称してガスライン５１８）に接続される。ガスライン５１８は、精密オリフィス５２０−１、５２０−２、…、および５２０−Ｏ（総称して精密オリフィス５２０）に接続される。
【００７０】
いくつかの例では、精密オリフィス５２０は、様々なオリフィスサイズを有する。精密オリフィス５２０は、オリフィスがあらかじめ定められた既知のサイズおよび形状を有し、遮るものがない場合に「精密」であるとみなされる。精密オリフィスがチョーク流れ状態で動作しているとき、１つまたは複数の圧力センサ５３０が精密オリフィス５２０から上流の圧力を検知する。チョーク流れ状態は、ガスが音速で精密オリフィスを出るときに発生する。精密オリフィスの１つは、校正されるべき流量に基づいて選択される。
【００７１】
圧力センサ５３０は、弁５１０および５１１の出口ならびに精密オリフィス５２０の入口に接続される。例えば、第１の圧力センサ５３０は、第１の圧力範囲で動作し、第２の圧力センサ５３０は、第１の圧力範囲と同じまたは異なる第２の圧力範囲で動作する。例えば、第１の圧力センサ５３０は最大５０Ｔの圧力を測定し、第２の圧力センサ５３０は最大５００Ｔの圧力を測定するが、他の圧力範囲が使用されてもよい。精密オリフィス５２０は、弁５２４−１、５２４−２、…、および５２４−Ｏ（総称して弁５２４）の入口に接続される。弁５２４の出口はまとめて接続され、ポンプ５４０に出力される。
【００７２】
ここで、ハイブリッド流量計測コントローラ６１０を示す図６を参照する。いくつかの例では、ハイブリッド流量計測コントローラ６１０は、ＡＦＶテーブル６２０と、Ｖeffテーブル６２２と、Ｖeff推定モジュール６２４とを含む。ＡＦＶテーブル６２０は、ガスごとにオリフィス圧力を流量に関連付ける経験的に開発されたテーブルである。Ｖeffテーブル６２２は、校正され、ガスおよび／または所望の流量によって指標付けされるＶeff値を含む。
【００７３】
ハイブリッド流量計測コントローラ６１０は、弁６３４、マスフローコントローラ６３６、圧力センサ５３０、および温度センサ４８０と連通する。ハイブリッド計測コントローラ６１０は、以下でさらに説明するように、温度センサ４８０および圧力センサ５３０からのフィードバックに基づいて弁６３４を制御する。いくつかの例では、Ｖeff推定モジュール６２４は、補間、式、または他の技術を使用して、校正後の他のＶeff値に基づいてＶeffを推定するために使用されてもよい。
【００７４】
ここで、ハイブリッド流量計測を実施する方法を示す図７Ａおよび図７Ｂを参照する。図７Ａでは、低流量ガスに対する校正後の有効容積を決定する方法７００が実施される。言い換えれば、校正後の有効容積は、ＤＭＭ法が使用されるあらかじめ定められた流量未満の流量で供給されるガスについてのみ決定する必要がある。さらに、使用される流量およびガスの各々に対して校正を実施してもよい。あるいは、１つまたは複数のガスおよび１つまたは複数の流量に対して、１つまたは複数の校正を実施してもよい。その他のガスおよび／または（あらかじめ定められた流量未満の）その他の流量に対して、個別に校正を行わずに補間、式、もしくは他の補償を使用して流量を決定してもよい。
【００７５】
７１０において、有効容積の校正を行うガスおよび流量を選択する。７１４において、第１および第２の流量計測法を使用して、選択ガスに対して選択流量における有効容積を決定する。
【００７６】
いくつかの例では、有効容積Ｖは、方程式４を使用して計算することができる。最初に、対応するＭＦＣを複数の低流量設定点の１つに設定し、ＤＭＭ法を実施する。ＤＭＭ法の実施中に、初期および最終の圧力および温度を測定する。ＭＦＣは、オリフィス法を使用して、同じ流量設定点で（同じガスを用いて）動作する。オリフィス法によって、ＭＦＣの絶対流量（真の流量）Ｑが得られる。有効容積Ｖは、方程式４、絶対流量Ｑ、ならびに初期および最終の圧力および温度を使用して決定される。
【００７７】
追加のサンプルが必要な場合、方法は７１８に進み、選択ガスについて別の流量を校正する。選択ガスについてすべての流量が校正されると、方法は７２２に進み、別のガスを校正するかどうかを決定する。７２２が真の場合、方法は７１０に戻る。真ではない場合、方法を終了する。
【００７８】
図７Ｂには、本開示によるハイブリッド流量計測システムを動作させる方法７５０が示されている。７６０において、流量計測を実施するかどうかを決定する。７６０が真の場合、校正されるべき所望の流量が第１の流量閾値ＴＨ１以下であるかどうかを決定する。７６４が真の場合、ＤＭＭ法を使用し、選択ガスおよび／または選択流量に対応する校正後の有効容積を使用する。７６４が偽の場合、第２の流量計測法を使用する。いくつかの例では、第２の流量計測法は、オリフィス式の方法を含む。
【００７９】
ここで、流量計測を実施する方法８００を示す図８を参照する。８１０において、ガスラインをガスボックスからオリフィスまでポンプにより排気する。８１４において、弁を閉じ、ＭＦＣの出口からオリフィスまでガスラインを隔離する。８１６において、静定期間待機して、運動エネルギーを沈静化させ、ガスラインを壁温度に到達させる。いくつかの例では、静定期間は１０秒〜６０秒の範囲にある。８２０において、圧力センサのノイズをフィルタリングし、圧力を測定し、測定圧力に基づいて初期質量を決定する。８２４において、ＭＦＣの二次弁を開き、所望の流量で流れを供給する。あらかじめ定められた期間Δｔ中に、ＭＦＣによって出力される所望の流量で、ガスライン、マニホールド、および他の構造を充填する。８３０において、ＭＦＣの二次弁を閉じ、流れを停止する。８３４において、静定期間待機する。８３８において、圧力センサのノイズをフィルタリングし、圧力を測定し、測定圧力および有効容積（選択ガスおよび／または選択流量に対するもの）に基づいて最終質量を決定する。８４２において、最終質量、初期質量、およびΔｔに基づいて流量を決定する。
【００８０】
ここで、ＤＭＭ法の一例について測定圧力を時間の関数として示す図９を参照する。ガスラインを排気した後、ガスを静止させ、ガスラインの内壁などの表面との平衡温度（ＴW2）に到達させる。その結果、初期圧力ｐ1がわずかに上昇する。続いて、ＭＦＣは、期間Δｔの間、校正されるべき所望の流量に設定される。期間Δｔの後、ガスを静止させ、ガス供給ラインに沿った圧力勾配を排除し、ガスラインの内壁などの表面との平衡温度（Ｔw2）に到達させる。その結果、最終圧力ｐ2がわずかに上昇変化する。
【００８１】
ここで、ＭＦＣの校正に関して追加のチェックを行う方法１０００を示す図１０を参照する。いくつかの例では、動作中、第１の流量計測システムおよび第２の流量計測システムは、あらかじめ定められた範囲内で、比較可能な１つまたは複数の流量が重複することになる。例えば、第１の流量計測システムが１０ｓｃｃｍ以下の流量を校正するものであり、第２の流量計測システムが１０ｓｃｃｍ以上の流量を校正するために使用される場合がある。いくつかの例では、ＭＦＣの同じ所望の流量を校正するために第１の流量計測システムと第２の流量計測システムの両方を使用してもよい。例えば、１０ｓｃｃｍの校正を行うために両方の計測システムを使用してもよい。
【００８２】
第１の流量計測システムと第２の流量計測システムを使用した校正の結果を比較することができる。比較結果があらかじめ定められた許容範囲内にある場合、第１および第２の流量計測システムは、正しく機能している。比較結果があらかじめ定められた許容範囲内にない場合、システムは通知を送信し、警告メッセージを生成し、警告灯をオンにし、かつ／または他のアクションを実行する。
【００８３】
１０１０において、ＭＦＣは、あらかじめ定められた流量範囲内の所望の流量で選択ガスを流すように設定される。いくつかの例では、あらかじめ定められた流量範囲は、第１の計測システムと第２の計測システムを切り替えるあらかじめ定められた流量に近い。例えば、ＭＦＣの所望の流量を、５ｓｃｃｍ〜１５ｓｃｃｍの範囲にすることができる。
【００８４】
１０２０において、第１の計測システムを使用して第１の流量ＭＦＲ1を測定する。１０３０において、第２の計測システムを使用して第２の流量ＭＦＲ2を測定する。１０４０において、第１の流量ＭＦＲ1と第２の流量ＭＦＲ2を比較する。１０５０において、システムは、第１の流量ＭＦＲ1と第２の流量ＭＦＲ2との間の差があらかじめ定められた値未満であるか、またはあらかじめ定められた許容範囲内であるかどうかを決定する。１０５０が真の場合、方法を終了する。真ではない場合、システムは、１０５２において通知を送信し、警告メッセージを生成し、警告灯をオンにし、または他のアクションを実行する。
【００８５】
前述の説明は、本質的に単に例示的であり、本開示、その適用、または使用を限定する意図は全くない。本開示の広範な教示は、様々な形態で実施することができる。したがって、本開示は具体的な例を含むが、図面、明細書、および以下の特許請求の範囲を検討すると他の変更態様が明白となるので、本開示の真の範囲はそのような例に限定されるべきでない。方法における１つまたは複数の工程は、本開示の原理を変更することなく、異なる順序で（または同時に）実行してもよいことを理解されたい。さらに、各実施形態は特定の特徴を有するものとして上記に説明されているが、本開示のいずれかの実施形態に関して説明したこれらの特徴のいずれか１つまたは複数を、他の実施形態において実施すること、および／または、他の実施形態のいずれかの特徴と組み合わせることが（たとえそのような組み合わせが明示的に説明されていないとしても）可能である。言い換えれば、説明された実施形態は相互に排他的ではなく、１つまたは複数の実施形態を互いに入れ替えることは本開示の範囲に含まれる。
【００８６】
要素同士（例えば、モジュール同士、回路要素同士、半導体層同士など）の空間的および機能的関係は、「接続された」、「係合された」、「結合された」、「隣接した」、「隣に」、「上に」、「上方に」、「下方に」、および「配置された」などの様々な用語を使用して説明される。また、上記開示において第１の要素と第２の要素との間の関係が説明されるとき、「直接」であると明示的に説明されない限り、その関係は、第１の要素と第２の要素との間に他の介在要素が存在しない直接的な関係の可能性があるが、第１の要素と第２の要素との間に１つまたは複数の介在要素が（空間的または機能的に）存在する間接的な関係の可能性もある。本明細書で使用する場合、Ａ、Ｂ、およびＣの少なくとも１つという表現は、非排他的論理ＯＲを使用した論理（ＡまたはＢまたはＣ）の意味で解釈されるべきであり、「Ａの少なくとも１つ、Ｂの少なくとも１つ、およびＣの少なくとも１つ」の意味で解釈されるべきではない。
【００８７】
いくつかの実施態様では、コントローラはシステムの一部であり、そのようなシステムは上述した例の一部であってもよい。そのようなシステムは、１つまたは複数の処理ツール、１つまたは複数のチャンバ、１つまたは複数の処理用プラットフォーム、および／または特定の処理構成要素（ウエハ台座、ガス流システムなど）を含む半導体処理装置を備えることができる。これらのシステムは、半導体ウエハまたは基板の処理前、処理中、および処理後のシステム動作を制御するための電子機器と一体化されてもよい。そのような電子機器は「コントローラ」と呼ばれることがあり、１つまたは複数のシステムの様々な構成要素または副部品を制御してもよい。コントローラは、処理要件および／またはシステムのタイプに応じて、本明細書に開示されるプロセスのいずれかを制御するようにプログラムされてもよい。そのようなプロセスとしては、処理ガスの供給、温度設定（例えば、加熱および／または冷却）、圧力設定、真空設定、電力設定、無線周波数（ＲＦ）発生器設定、ＲＦ整合回路設定、周波数設定、流量設定、流体供給設定、位置および動作設定、ツールに対するウエハの搬入と搬出、ならびに、特定のシステムに接続または連動する他の搬送ツールおよび／またはロードロックに対するウエハの搬入と搬出が含まれる。
【００８８】
広義には、コントローラは、命令を受信し、命令を発行し、動作を制御し、洗浄動作を可能にし、エンドポイント測定を可能にするなどの様々な集積回路、ロジック、メモリ、および／またはソフトウェアを有する電子機器として定義されてもよい。集積回路は、プログラム命令を記憶するファームウェアの形式のチップ、デジタル信号プロセッサ（ＤＳＰ）、特定用途向け集積回路（ＡＳＩＣ）として定義されたチップ、および／または、１つまたは複数のマイクロプロセッサ、すなわちプログラム命令（例えば、ソフトウェア）を実行するマイクロコントローラを含んでもよい。プログラム命令は、様々な個々の設定（またはプログラムファイル）の形式でコントローラに通信される命令であって、特定のプロセスを半導体ウエハ上で、または半導体ウエハ用に、またはシステムに対して実行するための動作パラメータを定義してもよい。動作パラメータは、いくつかの実施形態では、１つまたは複数の層、材料、金属、酸化物、ケイ素、二酸化ケイ素、表面、回路、および／またはウエハダイの製作における１つまたは複数の処理ステップを実現するためプロセスエンジニアによって定義されるレシピの一部であってもよい。
【００８９】
コントローラは、いくつかの実施態様では、システムと統合されるか、システムに結合されるか、他の方法でシステムにネットワーク接続されるコンピュータの一部であってもよく、またはそのようなコンピュータに結合されてもよく、またはそれらの組み合わせであってもよい。例えば、コントローラは、「クラウド」内にあってもよいし、ファブホストコンピュータシステムのすべてもしくは一部であってもよい。これにより、ウエハ処理のリモートアクセスが可能となる。コンピュータは、システムへのリモートアクセスを可能にして、製作動作の現在の進捗状況を監視し、過去の製作動作の履歴を検討し、複数の製作動作から傾向または性能基準を検討し、現在の処理のパラメータを変更し、現在の処理に続く処理ステップを設定するか、または新しいプロセスを開始してもよい。いくつかの例では、リモートコンピュータ（例えば、サーバ）は、ネットワークを通じてプロセスレシピをシステムに提供することができる。そのようなネットワークは、ローカルネットワークまたはインターネットを含んでいてもよい。リモートコンピュータは、パラメータおよび／または設定のエントリまたはプログラミングを可能にするユーザインターフェースを含んでもよく、そのようなパラメータおよび／または設定は、その後リモートコンピュータからシステムに通信される。いくつかの例では、コントローラは命令をデータの形式で受信する。そのようなデータは、１つまたは複数の動作中に実施される各処理ステップのためのパラメータを特定するものである。パラメータは、実施されるプロセスのタイプ、およびコントローラが連動または制御するように構成されるツールのタイプに特有のものであってもよいことを理解されたい。したがって、上述したように、コントローラは、例えば、互いにネットワーク接続され共通の目的（本明細書に記載のプロセスおよび制御など）に向けて協働する１つまたは複数の個別のコントローラを備えることによって分散されてもよい。このような目的のための分散型コントローラの例として、チャンバ上の１つまたは複数の集積回路であって、（例えば、プラットフォームレベルで、またはリモートコンピュータの一部として）遠隔配置されておりチャンバにおけるプロセスを制御するよう組み合わせられる１つまたは複数の集積回路と通信するものが挙げられるであろう。
【００９０】
例示的なシステムは、プラズマエッチングチャンバまたはモジュール、堆積チャンバまたはモジュール、スピンリンスチャンバまたはモジュール、金属めっきチャンバまたはモジュール、洗浄チャンバまたはモジュール、ベベルエッジエッチングチャンバまたはモジュール、物理気相堆積（ＰＶＤ）チャンバまたはモジュール、化学気相堆積（ＣＶＤ）チャンバまたはモジュール、原子層堆積（ＡＬＤ）チャンバまたはモジュール、原子層エッチング（ＡＬＥ）チャンバまたはモジュール、イオン注入チャンバまたはモジュール、追跡チャンバまたはモジュール、ならびに半導体ウエハの製作および／または製造に関連するか使用されてもよい任意の他の半導体処理システムを含むことができるが、これらに限定されない。
【００９１】
上述のように、ツールによって実施される１つまたは複数のプロセスステップに応じて、コントローラは、１つまたは複数の他のツール回路もしくはモジュール、他のツール構成要素、クラスタツール、他のツールインターフェース、隣接するツール、近接するツール、工場全体に位置するツール、メインコンピュータ、別のコントローラ、または半導体製造工場内のツール場所および／もしくはロードポートに対してウエハの容器を搬入および搬出する材料搬送に使用されるツールと通信してもよい。
【図１】
2021533567.tif 000009
【図２】
2021533567.tif 000010
【図３】
2021533567.tif 000011
【図４】
2021533567.tif 000012
【図５】
2021533567.tif 000013
【図６】
2021533567.tif 000014
【図７Ａ】
2021533567.tif 000015
【図７Ｂ】
2021533567.tif 000016
【図８】
2021533567.tif 000017
【図９】
2021533567.tif 000018
【図１０】
2021533567.tif 000019
【国際調査報告】
2021533567.tif 000020
2021533567.tif 000021